(57)【要約】【課題】飲料用紙パックの注ぎ口の開口作業を容易にする。【解決手段】封止部を左右に押し開く押開部と前記封止部を左右に押し開き完了後、前記封止部を開口する方向に付勢するための引手部と、壁に固着する台座部を持ち、前記台座部は、飲料用紙パックの上部の封止部の直下の壁面の上部に設けられ、前記押開部は、押開部の一端を、前記台座部の上部に回転可能に固定してあり、前記引手部は、前記押開部の他端に、配置されていること。 【選択図】図１
2016043977.tif 000002
【特許請求の範囲】
【請求項１】
飲料用紙パックの封止部を開き、開口させるための開口冶具を備え、
前記開口冶具は、封止部を左右に押し開く押開部と前記封止部を左右に押し開き完了後、前記封止部を開口する方向に付勢するための引手部と、壁に固着する台座部を持ち、
前記台座部は、飲料用紙パックの上部の封止部の直下の壁面の上部に設けられ
前記押開部は、押開部の一端を、前記台座部の上部に回転可能に固定してあり、
前記引手部は、前記押開部の他端に、配置されていることを
特徴とする開口冶具付き飲料用紙パック。
【請求項２】
前記飲料用紙パックは、ゲーブルトップ型であることを特徴とする請求項１に記載の開口冶具付き飲料用紙パック。
【請求項３】
前記押開部は、前記封止部に対向する部分が鋭角であることを特徴とする請求項１または２に記載の開口冶具付き飲料用紙パック。
【請求項４】
前記引手部は、円環状であることを特徴とする請求項１から３のいずれかに記載の開口冶具付き飲料用紙パック。
【請求項５】
前記開口冶具は、開口作業を行わないときは、全体が壁に沿って配置されていることを特徴とする請求項１から４のいずれかに記載の開口冶具付き飲料用紙パック。
【請求項６】
前記台座部は、壁の形状に沿った三角の形状であることを特徴とする請求項１から５のいずれかに記載の開口冶具付き飲料用紙パック。
【請求項７】
前記開口冶具は、樹脂製であることを特徴とする請求項１から６のいずれかに記載の開口冶具付き飲料用紙パック。
【請求項８】
前記引手部に上方へ突出した閉止部が設けられていることを特徴とする請求項１から７のいずれかに記載の開口冶具付き飲料用紙パック。
【発明の詳細な説明】
【技術分野】
【０００１】
本発明は、飲料用紙パックの注ぎ口の構造に関し、詳しくは、飲料用紙パックの封止部の開口を容易にすると共に、衛生的な飲用を可能とする技術に関する。
【背景技術】
【０００２】
従来、牛乳パック等の飲料用紙パックの注ぎ口は、封止部を左右両側から完全に押し広げ、両側を手で強くつまみながら外側へ引き、注ぎ口が開口する構造であった。
【０００３】
しかしながら、この構造にはいくつかの欠点があった。
まず、封止部を左右に押し広げるために、ある程度の力が必要であり、子供や老人のような力の無い人には苦労であり、なかなか、完全にひろげることができない場合も多かった。また、封止部を左右に押し広げた後、両側を強くつまむ動作についても、子供や老人には難しい場合も多かった。
また、押し広げや、両側から強くつまむ動作が出来ない場合に、無理に開口させようと注ぎ口を爪等でこじ開ける人もおり、衛生上問題であった。
【０００４】
そのため、力の無い子供や老人であっても、飲料用紙パックの封止部の左右への押し開き、注ぎ口の開口を容易に行うことができる技術が望まれていた。
【０００５】
牛乳パック注ぎ口の開閉を良くし、注ぎ口にバイキンなどを寄せつけないものである、パックホルダーが発明され、公知技術となっている（特許文献１）。より詳しくは、牛乳パックの素材をカットし、形取りした後で山折りと谷折りに折り、裏面には、のり付けをし、牛乳パック本体の空間部に装着されるものである。
【０００６】
また、現在広く使用されている牛乳パックを開口する際、印刷された指示書き通りにしてもなかなか開口せず、爪でこじあけるなど常に困難を感じながら開口するのが常であることから、この困難と手で開口部を触る不衛生を解決する技術が発明され、公知技術となっている（特許文献２）。より詳しくは、牛乳パック開け口を左右に広げたとき見える三角形頂部付近に図１に示すような開口用引き手をのり付けした牛乳パックを用いる。広げた開け口を挟むように利き手で持ち、他の手で引き手を引くと楽に開口でき、さらに引きながら開け口を押えると牛乳をコップに注げる状態となる。引き手の接着強度は強すぎず弱すぎ
ず、適切に調整するものである。
【０００７】
特許文献１，２とも、牛乳パックの封止部を左右に押し広げた後の注ぎ口の開口のための発明であり、封止部を左右に押し広げることを容易にする技術については記載されていない。そのため、前記問題の解決には至っていない。
【０００８】
また、牛乳パックの開口グチに器具を使うことで容易に開口を可能とする技術が発明され、公知技術となっている（特許文献３）。より詳しくは、最初の折り目に沿い開口準備をして、器具の主芯をパック上部に差し込み，テコの作用を用いて主芯が平行な角度を維持して手前に開口部を引き出すものである。
【０００９】
また、牛乳パックや飲料用パックの口を開口する場合、手指をその口に挿入して開けるが、通常はパックの開口部が接着され、開口しにくいので、先の尖った細い棒などを用いてパックを開口する際に専用の器具が発明され、公知技術となっている（特許文献４）。より詳しくは、飲料用パックを開口するための器具であって、両側面部と上面部３で形成され、片側側面前部は鋭角的形状部２に形成され、それに相対する片側側面の前側部分は反対側の鋭角的形状部２が露出するように側面前側部分を切除して開放した形状の前部開放側面部１とする。両側面と上面の内側は空間部を形成したものである。
【００１０】
特許文献３，４とも、牛乳パックの開口までの作業を容易にするものであるが、牛乳パックの封止部を左右に押し広げた後の注ぎ口の開口のための発明であり、封止部を左右に押し広げることを容易にする技術については記載されていない。また、牛乳パックとは別の独立した器具による発明のため、その都度、牛乳パック付近に用意しなければならず不便であり、前記問題の解決には至っていない。
【００１１】
本発明者はそれらの問題を解決しようと、飲料用紙パックに封止部の左右への押し広げも可能な開口用冶具を装着することに着目し、「開口冶具付き飲料用紙パック」の提案に至るものである。
【先行技術文献】
【特許文献】
【００１２】
【特許文献１】特開平１１−４９１５３
【特許文献２】特開２００８−５６２５８
【特許文献３】特開２０１１−１０２１５１
【特許文献４】特開２０１０−２６０６３２
【発明の概要】
【発明が解決しようとする課題】
【００１３】
本発明は上記問題点に鑑み、開口冶具付き飲料用紙パックの提供を図る。
【課題を解決するための手段】
【００１４】
本発明に係る開口冶具付き飲料用紙パックは、飲料用紙パックの封止部を開き、開口させるための開口冶具を備え、前記開口冶具は、封止部を左右に押し開く押開部と前記封止部を左右に押し開いた後、前記封止部を開口する方向に付勢するための引手部と、壁に固着する台座部を持ち、前記台座部は、飲料用紙パックの上部の封止部の直下の壁面の上部に設けられ、前記押開部は、押開部の一端を、前記台座部の上部に回転可能に固定してあり、前記引手部は、前記押開部の他端に、配置されていることを手段とする。
【００１５】
また本発明は、前記飲料用紙パックは、ゲーブルトップ型であることを手段とすることもできる。
【００１６】
また本発明は、前記押開部は、前記封止部に対向する部分が鋭角であることを手段とすることもできる。
【００１７】
また本発明は、前記引手部は、円環状であることを手段とすることもできる。
【００１８】
また本発明は、前記開口冶具は、開口作業を行わないときは、全体が壁に沿って配置されていることを手段とすることもできる。
【００１９】
また本発明は、前記台座部は、壁の形状に沿った三角の形状であることを手段とすることもできる。
【００２０】
また本発明は、前記開口冶具は、樹脂製であることを手段とすることもできる。
【００２１】
また本発明は、前記引手部に、上方へ突出した閉止部が設ける構成を採用することもできる。
【発明の効果】
【００２２】
本発明に係る開口冶具付き飲料用紙パックによれば、飲料用紙パックの封止部の左右への押し広げや注ぎ口の開口を子供や老人などの力の無い人でも容易にでき、利便性を向上させるものである。
【図面の簡単な説明】
【００２３】
【図１】本発明に係る開口冶具付き飲料用紙パックの全体構成説明図である。
【図２】本発明に係る開口冶具付き飲料用紙パックの機能説明図である。
【図３】本発明に係る引手部の具体的形状を例示図面である。
【図４】本発明に係る引手部収納状態説明図である。
【図５】本発明に係る開口冶具付き飲料用紙パックに閉止部を設けた構成の実施例説明図である。
【発明を実施するための形態】
【００２４】
本発明である開口冶具付き飲料用紙パックは、飲料用紙パックの封止部の左右への押し広げ、注ぎ口の開口を容易とする開口用冶具を装着することを最大の特徴とする。以下、実施例を図面に基づいて説明する。
なお、本実施例で示される開口冶具付き飲料用紙パックの全体形状及び各部の形状は、下記に述べる実施例に限定されるものではなく、本発明の技術的思想の範囲内、即ち、同一の作用効果を発揮できる形状及び寸法の範囲内で変更することができるものである。
（実施例１）
【００２５】
図１から図２にしたがって、本発明を説明する。
図１（ａ）は、本発明の開口冶具２の全体斜視図を示し、図１（ｂ）は、開口冶具付き飲料用紙パック１の部分斜視図である。図２（ａ）は、開口等の作業を行う前の開口冶具付き飲料用紙パック１の断面模式図であり、（ｂ）は、開口冶具２によって、封止部７０１を左右に押し開く動作時の断面模式図であり、（ｃ）は、注ぎ口を開口する際の部分斜視図であり、（ｄ）は、注ぎ口を開口した後の部分斜視図である。
開口冶具付き飲料用紙パック１は、飲料用紙パック７と開口冶具２とから構成されている。
飲料用紙パック７は、牛乳パック等に使われている飲料用紙パックである。より詳しくはゲーブルトップ型紙パックである。ゲーブルトップ型とは、頂点が切妻屋根型に加工された箱型紙容器であり、耐水性に優れ、搬送性に優れた包装として主に飲料の包装に使用されている。封止部７０１は、切妻屋根の棟部分（屋根の頂部）の当たり、チューブ状の紙パックを熱圧着等で封止している。切妻屋根の屋根部分が傾斜部７０２であり、切妻屋根の妻壁部分が内面部７０３に当たる。
紙パックを開口するには、内面部７０３を正面として、封止部７０１を両手で左右に開く。次に、左右に開いた封止部を両側から手で強くつまむことで、内面部７０３が手前にずれ、注ぎ口が開口する。
【００２６】
開口冶具２は、飲料用紙パック７の開口を補助する冶具であり、押開部３、引手部４、台座５からなる。台座５を飲料用紙パック７の内面部７０３の上部に固定して使用する。材質は、ある程度の強度があれば、問わないが、リサイクルの面から、樹脂等が妥当である。
【００２７】
押開部３は、図面には、棒状で示しているが、棒状に限らず、強度に問題がなければ、紐状でもよい。紐状の場合、例えば、化学繊維であればナイロン系の引っ張り強度の大きいものが望ましく、金属性ワイヤーを用いる場合には強度の他に耐腐食性に優れた、例えば、ステンレスワイヤーを用いることが考え得る。以下、押開部３については棒状を使用した場合を前提に説明する。押開部３は、一方を固定部６に介して台座５に固定されている。棒は円筒状でも良いが、封止部７０１に当接する部分は、より押し広げやすくするために、多角形の角部分であると好適である。棒の断面は、例えば、三角形で、その頂点が封止部７０１に当接するようにしてもよい。そうすると、封止部７０１の隙間により容易に押開部３を入れやすくなるからである。押開部３の長さは、押し広げが容易に出来るように、一方が内面部７０３に固定された状態で、押開部３の他方が封止部７０１よりも少し突出していることが望ましい。そうすると指が容易に押開部３に掛けられるからである。固定部６は、押開部３と台座５をつなぐ部分であり、押開部３を台座５に対して、回転可能に固定している。回転は、封止部７０１を含む面に沿って回転可能としている。回転は、回転軸を持つ機構を用いてもいいし、単に、弾力性のある構造で、押開部３と台座５の設置角度が容易に変化しても良い。注ぎ口を開口する際、固定部６を介して、内面部７０３に固定された台座５を引っ張ることになるので、その張力に耐える強度が必要である。
【００２８】
引手部４は、注ぎ口を開口させるために、内面部７０３を引っ張る際、指を掛ける部分である。指が掛け易いようにリング状になっている。指が掛けられれば他の形状でも良い。また、封止部７０１の押し開く動作の際に、指を掛けられるように、上方向にも安定して掛けられるようにしても良い。
【００２９】
なお、前記開口冶具２に、閉止部８を設けることが望ましい。係る閉止部８は、飲料用紙パック７開口後に紙の弾性特性によって、動きを閉鎖し、空気に接触することを防ぐ部材であり、押開部３と前記引手部４のいずれかに設けられるクリップ状の留め部材である。形状は、例えば、図５に示すように、前記引手部４のリングの一部を上部方向へ突出させ、該突出部にL字型やU字型等の閉止用スリット9を設け、挟み込むクリップ構造などが考えられる。
【００３０】
台座５は、飲料用紙パック７の内面部７０３に固定される部分である。固定には接着剤による接着、熱による熱圧着等がある。内面部７０３が上部を頂点とする三角形であり、押開部３を出来るだけ封止部７０１に近づけたいことから、台座５の形状の三角形にして、その頂点付近に固定部６を介して押開部３を配置する構造とするのが好適である。封止部７０１の押し広げ、注ぎ口の開口動作とも、ある程度の力が必要であることから、台座５の内面部７０３への密着面積は出来るだけ広い方が良い。また、開口動作の完了後、開口冶具２をそのまま設置しておいても良いが、すでに不必要であることから、飲料用紙パック７から分離したい場合もある。そのため、分離しやすいように、台座５の頂点の引き剥がし強度は強く、底辺部分の引き剥がし強度は弱くしても良い。
【００３１】
次に、図２に沿って、開口動作を説明する。
飲料用紙パック７の開口冶具２の一部が封止部７０１よりも突出していることを確認し、封止部７０１に押開部３が当接するようにする（図２（ａ））。次に、押開部３の端部または引手部４に指を掛け、押開部３を固定部６を軸として上方に回転させる。押開部３は、封止部７０１を押し広げながら回転していく（図２（ｂ））。
次に、押し広げが完了し、封止部７０１の手前の半分が左右に広がった状態で、引手部４に指を掛け、内面部７０３を矢印Ａの方向に引っ張る（図２（ｃ））。
注ぎ口７０４の封止が取れ、開口し、作業が完了する（図２（ｄ））。
【００３２】
このように、開口冶具付き飲料用紙パック１によれば、開口冶具２を操作することによって、力が無くても、封止部７０１の左右への押し広げと注ぎ口の開口作業を容易に行うことができる。
（実施例２）
【００３３】
他の実施例について図３を用いて説明する。
実施例１において、引手部４がリング状の場合を説明したが、指を掛けることが出来れば、リング状に限らず、他の形状でもよい。
引手部４を半円形にしても良い。引手部４は内面部７０３を引っ張るためのものであるから、より単純な形状でもよい（図３（ａ）、（ｂ））。
（実施例３）
【００３４】
他の実施例について図４を用いて説明する。
実施例１において、開口冶具２の端部が封止部７０１よりも突出していると操作がしやすい旨説明したが、商品の輸送中や、商品棚への配置において、開口冶具２が突出していると邪魔になることも多い。そこで、開口冶具２を使用する前は、開口冶具２が内面部７０３に沿って密着し、その際、開口冶具２が封止部７０１よりも突出しなければ、輸送等の際に邪魔にならない（図４）。
そこで、開口冶具２の長さを、開口冶具２が内面部７０３に沿って密着した際、封止部７０１よりも突出しない長さとする。そして、開口冶具２が安定して、内面部７０３に密着するようにする。方法として、テープ等で押開部３を内面部７０３に固定しておいてもいいし、台座５の弾性特性で、常に、押開部３に対して下方向に付勢するようにしても良い。
また、引手部４が突出する場合は、押開部３の下部に変形して造っても良い。上部は、封止部を押し開くため押開部３の形状が望ましい。
【産業上の利用可能性】
【００３５】
本発明に係る開口冶具付き飲料用紙パックは、飲料用紙パックの開口を容易にする技術についての産業上の利用可能性は大きいと解する。
【符号の説明】
【００３６】
１  開口冶具付き飲料用紙パック
２  開口冶具
３  押開部
４  引手部
５  台座
６  固定部
７  飲料用紙パック
８  閉止部
９  閉止用スリット
７０１  封止部
７０２  傾斜部
７０３  内面部
７０４  注ぎ口
【図１】
2016043977.tif 000003
【図２】
2016043977.tif 000004
【図３】
2016043977.tif 000005
【図４】
2016043977.tif 000006
【図５】
2016043977.tif 000007